【手続補正書】
【提出日】平成17年8月26日(2005.8.26)
【手続補正１】
【補正対象書類名】明細書
【補正対象項目名】特許請求の範囲
【補正方法】変更
【補正の内容】
【特許請求の範囲】
【請求項１】  媒体上に設けられ、且つプローブの走査方向に対し所定の角度を持った直線状のエッジを持つマークに対して、前記エッジと直交する直線偏光の近視野光を照射して散乱した散乱光を出力信号として取得することを特徴とする情報再生装置。
【請求項２】  媒体上に設けられ、且つプローブの走査方向に対しそれぞれ異なった角度を持った直線状のエッジを持つ複数のマークに対して直線偏光の近視野光を照射しつつ走査して得られる散乱光の強度から多値データを取得することを特徴とする情報再生装置。
【請求項３】  媒体上に設けられ、且つプローブの走査方向に沿って形成した直線状のエッジを持つトラッキングマークと、
前記プローブ内に形成され、且つ前記トラッキングマーク近傍を当該トラッキングマークに沿って走査しながら光源から光を受けて前記走査方向に直交する方向に偏光した近視野光を発生するトラッキング用微小開口とを備え、
前記トラッキング用微小開口から発した前記近視野光を前記トラッキングマークに照射することにより散乱する散乱光の強度に基づいてトラッキングを行うことを特徴とする情報再生装置。
【請求項４】  媒体上に設けられ、且つプローブの走査方向に沿って形成した直線状のエッジを持つトラッキングマークと、
前記媒体上に設けられ、且つ前記走査方向と直交する方向に形成した直線状のエッジを持つデータマークと、
前記プローブ内に形成され、且つ前記データマークに対して光源から光を受けて前記走査方向に偏光した近視野光を発生するデータアクセス用微小開口と、
前記プローブ内に形成され、且つ前記トラッキングマーク近傍を当該トラッキングマークに沿って走査しながら光源から光を受けて前記走査方向に直交する方向に偏光した近視野光を発生するトラッキング用微小開口とを備え、
前記トラッキング用微小開口から発した前記近視野光を前記トラッキングマークに照射することにより散乱する第１の散乱光の強度に基づいてトラッキングを行いつつ、前記データアクセス用微小開口から発した前記近視野光を前記データマークに照射することより散乱する第２の散乱光の強度に基づいてデータを取得することを特徴とする情報再生装置。
【請求項５】  光源から光を受けて走査方向に偏光した第１の近視野光を発生する第１データアクセス用微小開口と、
光源から光を受けて前記走査方向と直交する方向に偏光した第２の近視野光を発生する第２データアクセス用微小開口と、
記録する情報に基づき、少なくとも前記走査方向、または前記走査方向に直交する方向のいずれかの方向に形成したエッジを持つデータマークとを備え、
前記第１データアクセス用微小開口による走査方向に偏光した前記第１の近視野光を、前記走査方向に直交する方向に形成した前記データマークに照射することにより散乱する第１の散乱光の強度に基づいて取得される第１データと、前記第２データアクセス用微小開口による前記走査方向に直交する方向に偏光した前記第２の近視野光を、前記走査方向に形成した前記データマークに照射することにより散乱する第２の散乱光の強度に基づいて取得される第２データとから多値データを取得することを特徴とする情報再生装置。
【請求項６】  光源から光を受けて直線偏光を持つ近視野光を発生させるデータアクセス用微小開口と、
前記光源と前記データアクセス用微小開口との間に設けられ、前記近視野光の偏光方向を回転させる偏光回転手段と、
記録する情報に基づき、走査方向または該走査方向に直交する方向のうち少なくともいずれかの方向に形成したエッジを持つデータマークとを備え、
前記データアクセス用微小開口から発生する前記走査方向に偏光した第１の近視野光を、走査方向に直交する方向に形成したデータマークに照射することにより散乱する第１の散乱光の強度に基づいて取得される第１データと、前記データアクセス用微小開口から発生する前記走査方向に直交する方向に偏光した第２の近視野光を、同一の前記データマークに照射することにより散乱する第２の散乱光の強度に基づいて取得される第２データとから多値データを取得することを特徴とする情報再生装置。
【請求項７】  前記第１データおよび第２データのいずれか一方をビットシフトして他方に加算するビットシフト演算手段を備えたことを特徴とする請求項５または６に記載の情報再生装置。
【請求項８】  媒体上に形成され、プローブの走査方向に対して所定角度を有する直線状のエッジを持つデータマークと、
前記プローブ内に設けられ、光源から光を受けて直線偏光を持つ近視野光を発生させる微小開口と、
前記光源と前記微小開口との間に設けられ、前記近視野光の偏光方向を回転させる偏光回転手段とを備え、
前記偏光方向が回転している前記近視野光を前記データマークに照射しつつ前記媒体上を走査することにより前記データマークで散乱した散乱光の強度および前記偏光方向の回転角度から多値データを取得することを特徴とする情報再生装置。
【請求項９】  直線状のエッジを有し、且つ記録する情報に基づいて前記エッジの間隔が所定のエッジ間隔で媒体上に形成されたデータマークの前記エッジに直交する直線偏光を持つ近視野光を前記データマークに照射しつつ前記媒体上を走査すると共に、前記データマークの前記エッジで散乱した散乱光による出力信号が前記エッジ間隔に対応して出力される時間間隔からデータを取得することを特徴とする情報再生装置。
【請求項１０】  媒体上に形成され、一単位を構成する、異なる方向を向いたエッジを持つ複数のデータマークと、
光源から光を受けて直線偏光を持つ近視野光を発生させる微小開口と、
前記光源と前記微小開口との間に設けられ、前記近視野光の偏光方向を回転させる偏光回転手段とを備え、
偏光方向が回転している近視野光を前記複数のデータマークの一単位に照射することにより、それぞれの前記データマークで散乱した散乱光の強度および前記偏光方向の回転角度から多値データを取得することを特徴とする情報再生装置。
【請求項１１】  直線偏光を持つ近視野光の偏光方向を、記録する情報に基づいて変化させつつ、局所的な加熱により状態が変化する物質を表面に設けた媒体上に前記近視野光を照射することにより多値データを記録することを特徴とする情報記録装置。
【請求項１２】  光源から光を受けて走査方向に偏光した第１の近視野光を発生する第１データ記録用微小開口と、
光源から光を受けて前記走査方向と直交する方向に偏光した第２の近視野光を発生する第２データ記録用微小開口と、
局所的な加熱により状態が変化する物質を表面に設けた媒体とを備え、
前記第１データ記録用微小開口による前記走査方向に偏光した前記第１の近視野光を前記媒体上に照射して前記走査方向に直交する方向の状態を変化させることにより第１データを記録するとともに、同じく、前記第１のデータが記録された位置と同じ位置に、前記第２データ記録用微小開口による前記走査方向に直交する方向に偏光した前記第2の近視野光を媒体上に照射して走査方向の状態を変化させることによって第２データを記録することにより、情報を多値データとして記録するようにしたことを特徴とする情報記録装置。
【請求項１３】  光源から光を受けて直線偏光を持つ近視野光を発生させるデータ記録用微小開口と、
前記光源と前記データ記録用微小開口との間に設けられ、前記近視野光の偏光方向を回転させる偏光回転手段と、
局所的な加熱により状態が変化する物質を表面に設けた媒体とを備え、
前記データ記録用微小開口による走査方向または前記走査方向に直交する方向に偏光した近視野光を媒体上に照射して前記走査方向に直交する方向または前記走査方向の状態を変化させることにより第１データを記録するとともに、続いて、前記走査方向に直交する方向または前記走査方向に偏光した近視野光を媒体上に照射して前記走査方向または前記走査方向に直交する方向の状態を変化させることによって第２データを記録することにより、情報を多値データとして記録するようにしたことを特徴とする情報記録装置。
【請求項１４】  光源から光を受けて直線偏光を持つ近視野光を発生させるデータ記録用微小開口と、
前記光源と前記データ記録用微小開口との間に設けられ、前記近視野光の偏光方向を回転させる偏光回転手段と、
局所的な加熱により状態が変化する物質を表面に設けた媒体とを備え、
記録する情報に基づいて前記近視野光の照射を所定回転角度単位で制御し、当該近視野光の偏光方向に直交する方向の状態を回転角度単位で変化させることによって、多値データにより情報を記録するようにしたことを特徴とする情報記録装置。
【請求項１５】  前記回転角度単位を１０ー以上にしたことを特徴とする請求項１４に記載の情報記録装置。
【請求項１６】  トラッキングに用いる第１レーザ発振器と、
データアクセスに用いる第２レーザ発振器と、
前記第１レーザ発振器と前記第２レーザ発振器との間に位相ずれを与える位相板と、
前記第１レーザ発振器からのレーザ光から直線偏光を持つ第１の近視野光を発生させる第１微小開口と、
前記第２レーザ発振器からのレーザ光から、前記第１微小開口で発生する前記第１の近視野光の偏光方向に直交する方向の直線偏光を持つ第２の近視野光を発生させる第２微小開口と、を備えたことを特徴とする情報再生装置。
【請求項１７】  データアクセスに用いる第１レーザ発振器および第２レーザ発振器と、
前記第１レーザ発振器と第２レーザ発振器との間に位相ずれを与える位相板と、
前記第１レーザ発振器からのレーザ光から直線偏光を持つ第１の近視野光を発生させる第１微小開口と、
前記第２レーザ発振器からのレーザ光から、前記第１微小開口で発生する第１の近視野光の偏光方向に直交する方向の直線偏光を持つ第２の近視野光を発生させる第２微小開口と、を備えたことを特徴とする情報再生装置。
【請求項１８】  データアクセスに用いるレーザ発振器と、
当該レーザ発振器からのレーザ光から直線偏光を持つ近視野光を発生させる微小開口と、
前記近視野光の偏光方向を制御する偏光制御手段と、を備えたことを特徴とする情報再生装置。
【請求項１９】  一方向に形成したエッジを持つデータマークと、当該方向と異なる他方向に形成したエッジを持つデータマークとをトラック上に備えたことを特徴とする記録媒体。
【請求項２０】  局所的な加熱により状態が変化する長手形状の相変化層をトラック上の複数方向に形成したことを特徴とする記録媒体。
【請求項２１】  走査方向に対し所定角度を持った直線状のエッジを持つマークに対し、当該マークと略直交する直線偏光の近視野光を照射し、このマークで散乱した散乱光を出力信号として取得して情報を再生することを特徴とする情報再生方法。
【請求項２２】  媒体上の異なる方向に直線状のエッジを持つマークを複数形成し、これらのマークに直線偏光の近視野光を照射しつつ前記媒体上を走査すると共に、前記マークで散乱した散乱光を出力信号とし、この出力信号の強度から多値データを取得することで情報を再生することを特徴とする情報再生方法。
【請求項２３】  媒体上の走査方向に直線状のエッジを持つトラッキングマークを形成しておき、前記走査方向に直交する方向に偏光した近視野光を発生させ、この近視野光によって前記トラッキングマーク近傍を当該トラッキングマークに沿って走査し、トラッキングマークにより散乱する散乱光から出力信号を取得し、この出力信号の強度に基づいて再生時のトラッキングを行うことを特徴とする情報再生方法。
【請求項２４】  直線状のエッジを持つトラッキングマークを媒体上の走査方向に形成すると共に、この走査方向と直交する方向に直線状のエッジを持つデータマークを形成し、
前記走査方向に偏光した近視野光により前記データマーク上を直交走査すると共に、前記走査方向に直交する方向に偏光した前記近視野光により前記トラッキングマーク近傍を当該トラッキングマークに沿って走査し、
前記トラッキングマークにより散乱する散乱光から出力信号を取得し、この出力信号の強度に基づいてトラッキングを行い、かつ、前記データマークにより散乱する散乱光から出力信号を取得し、この出力信号の強度に基づいてデータを取得することで、情報の再生を行うことを特徴とする情報再生方法。
【請求項２５】  記録する情報に基づき、走査方向または該走査方向に直交する方向のうち少なくともいずれかの方向にエッジを持つデータマークを形成し、前記走査方向および該走査方向に直交する方向に偏光した近視野光を発生させ、
前記走査方向に偏光した第１の近視野光を、前記走査方向に直交する方向に形成した前記データマークにより散乱させ、この散乱光の強度に基づいて第１データを取得し、同じく、前記走査方向に直交する方向に偏光した第２の近視野光を、前記走査方向に形成した前記データマークにより散乱させ、この散乱光の強度に基づいて第２データを取得し、第１データと第２データとから多値データを取得することで、情報の再生を行うようにしたことを特徴とする情報再生方法。
【請求項２６】  記録する情報に基づき、走査方向または該走査方向に直交する方向のうち少なくともいずれかの方向にエッジからなるデータマークを形成し、
前記走査方向または前記走査方向に直交する方向に偏光した近視野光により前記データマークを走査し、
続いて、近視野光の偏光方向を回転させ、同一データマークを前記走査方向に直交する方向または前記走査方向に偏光した近視野光により走査し、前記走査方向に偏光した前記近視野光を、前記走査方向に直交する方向に形成したデータマークにより散乱させ、この散乱光の強度に基づいて第１データを取得し、同じく、前記走査方向に直交する方向に偏光した近視野光を、前記走査方向に形成した前記データマークにより散乱させ、この散乱光の強度に基づいて第２データを取得し、前記第１データと前記第２データとから多値データを取得することで、情報を再生するようにしたことを特徴とする情報再生方法。
【請求項２７】  前記第１データおよび前記第２データのいずれか一方をビットシフトして他方に加算するようにしたことを特徴とする請求項２５または２６に記載の情報再生方法。
【請求項２８】  プローブの走査方向に対して所定角度を有する直線状のエッジを持つデータマークを媒体上に形成し、直線偏光を持つ近視野光の偏光方向を回転させつつ当該近視野光を前記データマークに照射し、前記データマークで散乱した前記散乱光を出力信号とし、この出力信号の強度および出力信号が強くなった回転角度から多値データを取得して情報を再生するようにしたことを特徴とする情報再生方法。
【請求項２９】  直線状のエッジを有し、且つ記録する情報に基づいて前記エッジの間隔が所定のエッジ間隔で媒体上に形成されたデータマークの前記エッジに直交する直線偏光を持つ近視野光を前記データマークに照射しつつ前記媒体上を走査すると共に、前記データマークの前記エッジで散乱した散乱光による出力信号が前記エッジ間隔に対応して出力される時間間隔からデータを取得することで情報を再生するようにしたことを特徴とする情報再生方法。
【請求項３０】  異なる方向を向いた複数のエッジを持つデータマークを一単位として設け、直線偏光を持つ近視野光の偏光方向を回転させつつ、当該近視野光を前記複数のデータマークの前記一単位に照射すると共に、各データマークで散乱した散乱光を出力信号とし、この出力信号の強度および出力信号が強くなった回転角度から多値データを取得して、情報を再生するようにしたことを特徴とする情報再生方法。
【請求項３１】  直線偏光を持つ近視野光の偏光方向を記録する情報に基づいて変化させ、この偏光方向を変化させつつ、当該近視野光を、局所的な加熱により状態が変化する物質を表面に設けた媒体上に照射することで、多値データを記録することを特徴とする情報記録方法。
【請求項３２】  局所的な加熱により状態が変化する物質を表面に設けた媒体に対して走査方向に偏光した第１の近視野光を照射し、前記走査方向に直交する方向の状態を変化させることで第１データを記録し、同じく、前記走査方向に直交する方向に偏光した第２の近視野光を媒体上に照射し、前記走査方向の状態を変化させることで第２データを記録し、多値データにより情報を記録するようにしたことを特徴とする情報記録方法。
【請求項３３】  局所的な加熱により状態が変化する物質を表面に設けた媒体に対して走査方向または前記走査方向に直交する方向に偏光した第１の近視野光を媒体上に照射し、前記走査方向に直交する方向または前記走査方向の状態を変化させることで第１データを記録し、続いて、近視野光の偏光方向を回転させ、走査方向に直交する方向または走査方向に偏光した第２の近視野光を媒体上に照射し、前記走査方向または前記走査方向に直交する方向の状態を変化させることで第２データを記録し、多値データにより情報を記録するようにしたことを特徴とする情報記録方法。
【請求項３４】  局所的な加熱により状態が変化する物質を表面に設けた媒体に対し、直線偏光を持つ近視野光をその偏光方向を回転させつつ照射すると共に、この照射を記録する情報に基づいて所定回転角度単位で制御し、当該近視野光の偏光方向に直交する方向の状態を回転角度単位で変化させることによって、多値データにより情報を記録するようにしたことを特徴とする情報記録方法。
【請求項３５】  前記回転角度単位を１０ー以上にしたことを特徴とする請求項３４に記載の情報記録方法。
【手続補正２】
【補正対象書類名】明細書
【補正対象項目名】０００７
【補正方法】変更
【補正の内容】
【０００７】
【課題を解決するための手段】
上述の目的を達成するために、本発明に係る情報再生装置は、媒体上に設けられ、且つプローブの走査方向に対し所定の角度を持った直線状のエッジを持つマークに対して、前記エッジと直交する直線偏光の近視野光を照射して散乱した散乱光を出力信号として取得するものである。
【手続補正３】
【補正対象書類名】明細書
【補正対象項目名】０００９
【補正方法】変更
【補正の内容】
【０００９】
また、本発明に係る情報再生装置は、媒体上に設けられ、且つプローブの走査方向に対しそれぞれ異なった角度を持った直線状のエッジを持つ複数のマークに対して直線偏光の近視野光を照射しつつ走査して得られる散乱光の強度から多値データを取得するものである。
【手続補正４】
【補正対象書類名】明細書
【補正対象項目名】００１１
【補正方法】変更
【補正の内容】
【００１１】
また、本発明に係る情報再生装置は、媒体上に設けられ、且つプローブの走査方向に沿って形成した直線状のエッジを持つトラッキングマークと、前記プローブ内に形成され、且つ前記トラッキングマーク近傍を当該トラッキングマークに沿って走査しながら光源から光を受けて前記走査方向に直交する方向に偏光した近視野光を発生するトラッキング用微小開口とを備え、前記トラッキング用微小開口から発した前記近視野光を前記トラッキングマークに照射することにより散乱する散乱光の強度に基づいてトラッキングを行うものである。
【手続補正５】
【補正対象書類名】明細書
【補正対象項目名】００１３
【補正方法】変更
【補正の内容】
【００１３】
また、本発明に係る情報再生装置は、媒体上に設けられ、且つプローブの走査方向に沿って形成した直線状のエッジを持つトラッキングマークと、前記媒体上に設けられ、且つ前記走査方向と直交する方向に形成した直線状のエッジを持つデータマークと、前記プローブ内に形成され、且つ前記データマークに対して光源から光を受けて前記走査方向に偏光した近視野光を発生するデータアクセス用微小開口と、前記プローブ内に形成され、且つ前記トラッキングマーク近傍を当該トラッキングマークに沿って走査しながら光源から光を受けて前記走査方向に直交する方向に偏光した近視野光を発生するトラッキング用微小開口とを備え、  前記トラッキング用微小開口から発した前記近視野光を前記トラッキングマークに照射することにより散乱する第１の散乱光の強度に基づいてトラッキングを行いつつ、前記データアクセス用微小開口から発した前記近視野光を前記データマークに照射することより散乱する第２の散乱光の強度に基づいてデータを取得するものである。
【手続補正６】
【補正対象書類名】明細書
【補正対象項目名】００１５
【補正方法】変更
【補正の内容】
【００１５】
また、本発明に係る情報再生装置は、光源から光を受けて走査方向に偏光した第１の近視野光を発生する第１データアクセス用微小開口と、光源から光を受けて前記走査方向と直交する方向に偏光した第２の近視野光を発生する第２データアクセス用微小開口と、記録する情報に基づき、少なくとも前記走査方向、または前記走査方向に直交する方向のいずれかの方向に形成したエッジを持つデータマークとを備え、前記第１データアクセス用微小開口による走査方向に偏光した前記第１の近視野光を、前記走査方向に直交する方向に形成した前記データマークに照射することにより散乱する第１の散乱光の強度に基づいて取得される第１データと、前記第２データアクセス用微小開口による前記走査方向に直交する方向に偏光した前記第２の近視野光を、前記走査方向に形成した前記データマークに照射することにより散乱する第２の散乱光の強度に基づいて取得される第２データとから多値データを取得するようにしたものである。
【手続補正７】
【補正対象書類名】明細書
【補正対象項目名】００１８
【補正方法】変更
【補正の内容】
【００１８】
また、本発明に係る情報再生装置は、光源から光を受けて直線偏光を持つ近視野光を発生させるデータアクセス用微小開口と、前記光源と前記データアクセス用微小開口との間に設けられ、前記近視野光の偏光方向を回転させる偏光回転手段と、記録する情報に基づき、走査方向または該走査方向に直交する方向のうち少なくともいずれかの方向に形成したエッジを持つデータマークとを備え、前記データアクセス用微小開口から発生する前記走査方向に偏光した第１の近視野光を、走査方向に直交する方向に形成したデータマークに照射することにより散乱する第１の散乱光の強度に基づいて取得される第１データと、前記データアクセス用微小開口から発生する前記走査方向に直交する方向に偏光した第２の近視野光を、同一の前記データマークに照射することにより散乱する第２の散乱光の強度に基づいて取得される第２データとから多値データを取得するようにしたものである。
【手続補正８】
【補正対象書類名】明細書
【補正対象項目名】００２０
【補正方法】変更
【補正の内容】
【００２０】
また、本発明に係る情報再生装置は、前記第１データおよび第２データのいずれか一方をビットシフトして他方に加算するビットシフト演算手段を備えたものである。
【手続補正９】
【補正対象書類名】明細書
【補正対象項目名】００２２
【補正方法】変更
【補正の内容】
【００２２】
また、本発明に係る情報再生装置は、媒体上に形成され、プローブの走査方向に対して所定角度を有する直線状のエッジを持つデータマークと、  前記プローブ内に設けられ、光源から光を受けて直線偏光を持つ近視野光を発生させる微小開口と、前記光源と前記微小開口との間に設けられ、前記近視野光の偏光方向を回転させる偏光回転手段とを備え、前記偏光方向が回転している前記近視野光を前記データマークに照射しつつ前記媒体上を走査することにより前記データマークで散乱した散乱光の強度および前記偏光方向の回転角度から多値データを取得するものである。
【手続補正１０】
【補正対象書類名】明細書
【補正対象項目名】００２５
【補正方法】変更
【補正の内容】
【００２５】
また、本発明に係る情報再生装置は、直線状のエッジを有し、且つ記録する情報に基づいて前記エッジの間隔が所定のエッジ間隔で媒体上に形成されたデータマークの前記エッジに直交する直線偏光を持つ近視野光を前記データマークに照射しつつ前記媒体上を走査すると共に、前記データマークの前記エッジで散乱した散乱光による出力信号が前記エッジ間隔に対応して出力される時間間隔からデータを取得するものである。
【手続補正１１】
【補正対象書類名】明細書
【補正対象項目名】００２７
【補正方法】変更
【補正の内容】
【００２７】
また、本発明に係る情報再生装置は、媒体上に形成され、一単位を構成する、異なる方向を向いたエッジを持つ複数のデータマークと、光源から光を受けて直線偏光を持つ近視野光を発生させる微小開口と、前記光源と前記微小開口との間に設けられ、前記近視野光の偏光方向を回転させる偏光回転手段とを備え、偏光方向が回転している近視野光を前記複数のデータマークの一単位に照射することにより、それぞれの前記データマークで散乱した散乱光の強度および前記偏光方向の回転角度から多値データを取得するものである。
【手続補正１２】
【補正対象書類名】明細書
【補正対象項目名】００２９
【補正方法】変更
【補正の内容】
【００２９】
また、本発明に係る情報再生装置は、直線偏光を持つ近視野光の偏光方向を、記録する情報に基づいて変化させつつ、局所的な加熱により状態が変化する物質を表面に設けた媒体上に前記近視野光を照射することにより多値データを記録するものである。
【手続補正１３】
【補正対象書類名】明細書
【補正対象項目名】００３１
【補正方法】変更
【補正の内容】
【００３１】
また、本発明に係る情報再生装置は、光源から光を受けて走査方向に偏光した第１の近視野光を発生する第１データ記録用微小開口と、光源から光を受けて前記走査方向と直交する方向に偏光した第２の近視野光を発生する第２データ記録用微小開口と、局所的な加熱により状態が変化する物質を表面に設けた媒体とを備え、前記第１データ記録用微小開口による前記走査方向に偏光した前記第１の近視野光を前記媒体上に照射して前記走査方向に直交する方向の状態を変化させることにより第１データを記録するとともに、同じく、前記第１のデータが記録された位置と同じ位置に、前記第２データ記録用微小開口による前記走査方向に直交する方向に偏光した前記第2の近視野光を媒体上に照射して走査方向の状態を変化させることによって第２データを記録することにより、情報を多値データとして記録するようにしたものである。
【手続補正１４】
【補正対象書類名】明細書
【補正対象項目名】００３３
【補正方法】変更
【補正の内容】
【００３３】
また、本発明に係る情報再生装置は、光源から光を受けて直線偏光を持つ近視野光を発生させるデータ記録用微小開口と、前記光源と前記データ記録用微小開口との間に設けられ、前記近視野光の偏光方向を回転させる偏光回転手段と、局所的な加熱により状態が変化する物質を表面に設けた媒体とを備え、前記データ記録用微小開口による走査方向または前記走査方向に直交する方向に偏光した近視野光を媒体上に照射して前記走査方向に直交する方向または前記走査方向の状態を変化させることにより第１データを記録するとともに、続いて、前記走査方向に直交する方向または前記走査方向に偏光した近視野光を媒体上に照射して前記走査方向または前記走査方向に直交する方向の状態を変化させることによって第２データを記録することにより、情報を多値データとして記録するものである。
【手続補正１５】
【補正対象書類名】明細書
【補正対象項目名】００３５
【補正方法】変更
【補正の内容】
【００３５】
また、本発明に係る情報再生装置は、光源から光を受けて直線偏光を持つ近視野光を発生させるデータ記録用微小開口と、前記光源と前記データ記録用微小開口との間に設けられ、前記近視野光の偏光方向を回転させる偏光回転手段と、局所的な加熱により状態が変化する物質を表面に設けた媒体とを備え、記録する情報に基づいて前記近視野光の照射を所定回転角度単位で制御し、当該近視野光の偏光方向に直交する方向の状態を回転角度単位で変化させることによって、多値データにより情報を記録するようにしたものである。
【手続補正１６】
【補正対象書類名】明細書
【補正対象項目名】００３９
【補正方法】変更
【補正の内容】
【００３９】
また、本発明に係る情報再生装置は、トラッキングに用いる第１レーザ発振器と、データアクセスに用いる第２レーザ発振器と、前記第１レーザ発振器と前記第２レーザ発振器との間に位相ずれを与える位相板と、前記第１レーザ発振器からのレーザ光から直線偏光を持つ第１の近視野光を発生させる第１微小開口と、前記第２レーザ発振器からのレーザ光から、前記第１微小開口で発生する前記第１の近視野光の偏光方向に直交する方向の直線偏光を持つ第２の近視野光を発生させる第２微小開口と、を備えたものである。
【手続補正１７】
【補正対象書類名】明細書
【補正対象項目名】００４１
【補正方法】変更
【補正の内容】
【００４１】
また、本発明に係る情報再生装置は、データアクセスに用いる第１レーザ発振器および第２レーザ発振器と、前記第１レーザ発振器と第２レーザ発振器との間に位相ずれを与える位相板と、前記第１レーザ発振器からのレーザ光から直線偏光を持つ第１の近視野光を発生させる第１微小開口と、前記第２レーザ発振器からのレーザ光から、前記第１微小開口で発生する第１の近視野光の偏光方向に直交する方向の直線偏光を持つ第２の近視野光を発生させる第２微小開口と、を備えたものである。
【手続補正１８】
【補正対象書類名】明細書
【補正対象項目名】００４７
【補正方法】変更
【補正の内容】
【００４７】
また、本発明に係る記録媒体は、一方向に形成したエッジを持つデータマークと、当該方向と異なる他方向に形成したエッジを持つデータマークとをトラック上に備えたものである。
【手続補正１９】
【補正対象書類名】明細書
【補正対象項目名】００５１
【補正方法】変更
【補正の内容】
【００５１】
また、本発明に係る情報再生方法は、走査方向に対し所定角度を持った直線状のエッジを持つマークに対し、当該マークと略直交する直線偏光の近視野光を照射し、このマークで散乱した散乱光を出力信号として取得して情報を再生するものである。
【手続補正２０】
【補正対象書類名】明細書
【補正対象項目名】００５３
【補正方法】変更
【補正の内容】
【００５３】
また、本発明に係る情報再生方法は、媒体上の異なる方向に直線状のエッジを持つマークを複数形成し、これらのマークに直線偏光の近視野光を照射しつつ前記媒体上を走査すると共に、前記マークで散乱した散乱光を出力信号とし、この出力信号の強度から多値データを取得することで情報を再生するものである。
【手続補正２１】
【補正対象書類名】明細書
【補正対象項目名】００５５
【補正方法】変更
【補正の内容】
【００５５】
また、本発明に係る情報再生方法は、媒体上の走査方向に直線状のエッジを持つトラッキングマークを形成しておき、前記走査方向に直交する方向に偏光した近視野光を発生させ、この近視野光によって前記トラッキングマーク近傍を当該トラッキングマークに沿って走査し、トラッキングマークにより散乱する散乱光から出力信号を取得し、この出力信号の強度に基づいて再生時のトラッキングを行うものである。
【手続補正２２】
【補正対象書類名】明細書
【補正対象項目名】００５７
【補正方法】変更
【補正の内容】
【００５７】
また、本発明に係る情報再生方法は、直線状のエッジを持つトラッキングマークを媒体上の走査方向に形成すると共に、この走査方向と直交する方向に直線状のエッジを持つデータマークを形成し、前記走査方向に偏光した近視野光により前記データマーク上を直交走査すると共に、前記走査方向に直交する方向に偏光した前記近視野光により前記トラッキングマーク近傍を当該トラッキングマークに沿って走査し、前記トラッキングマークにより散乱する散乱光から出力信号を取得し、この出力信号の強度に基づいてトラッキングを行い、かつ、前記データマークにより散乱する散乱光から出力信号を取得し、この出力信号の強度に基づいてデータを取得することで、情報の再生を行うものである。
【手続補正２３】
【補正対象書類名】明細書
【補正対象項目名】００５９
【補正方法】変更
【補正の内容】
【００５９】
また、本発明に係る情報再生方法は、記録する情報に基づき、走査方向または該走査方向に直交する方向のうち少なくともいずれかの方向にエッジを持つデータマークを形成し、前記走査方向および該走査方向に直交する方向に偏光した近視野光を発生させ、前記走査方向に偏光した第１の近視野光を、前記走査方向に直交する方向に形成した前記データマークにより散乱させ、この散乱光の強度に基づいて第１データを取得し、同じく、前記走査方向に直交する方向に偏光した第２の近視野光を、前記走査方向に形成した前記データマークにより散乱させ、この散乱光の強度に基づいて第２データを取得し、第１データと第２データとから多値データを取得することで、情報の再生を行うものである。
【手続補正２４】
【補正対象書類名】明細書
【補正対象項目名】００６１
【補正方法】変更
【補正の内容】
【００６１】
また、本発明に係る情報再生方法は、記録する情報に基づき、走査方向または該走査方向に直交する方向のうち少なくともいずれかの方向にエッジからなるデータマークを形成し、前記走査方向または前記走査方向に直交する方向に偏光した近視野光により前記データマークを走査し、続いて、近視野光の偏光方向を回転させ、同一データマークを前記走査方向に直交する方向または前記走査方向に偏光した近視野光により走査し、前記走査方向に偏光した前記近視野光を、前記走査方向に直交する方向に形成したデータマークにより散乱させ、この散乱光の強度に基づいて第１データを取得し、同じく、前記走査方向に直交する方向に偏光した近視野光を、前記走査方向に形成した前記データマークにより散乱させ、この散乱光の強度に基づいて第２データを取得し、前記第１データと前記第２データとから多値データを取得することで、情報を再生するようにしたものである。
【手続補正２５】
【補正対象書類名】明細書
【補正対象項目名】００６３
【補正方法】変更
【補正の内容】
【００６３】
また、本発明に係る情報再生方法は、上記情報再生方法において、さらに、前記第１データおよび前記第２データのいずれか一方をビットシフトして他方に加算するようにしたものである。
【手続補正２６】
【補正対象書類名】明細書
【補正対象項目名】００６５
【補正方法】変更
【補正の内容】
【００６５】
また、本発明に係る情報再生方法は、プローブの走査方向に対して所定角度を有する直線状のエッジを持つデータマークを媒体上に形成し、直線偏光を持つ近視野光の偏光方向を回転させつつ当該近視野光を前記データマークに照射し、前記データマークで散乱した前記散乱光を出力信号とし、この出力信号の強度および出力信号が強くなった回転角度から多値データを取得して情報を再生するようにしたものである。
【手続補正２７】
【補正対象書類名】明細書
【補正対象項目名】００６８
【補正方法】変更
【補正の内容】
【００６８】
また、本発明に係る情報再生方法は、直線状のエッジを有し、且つ記録する情報に基づいて前記エッジの間隔が所定のエッジ間隔で媒体上に形成されたデータマークの前記エッジに直交する直線偏光を持つ近視野光を前記データマークに照射しつつ前記媒体上を走査すると共に、前記データマークの前記エッジで散乱した散乱光による出力信号が前記エッジ間隔に対応して出力される時間間隔からデータを取得することで情報を再生するようにしたものである。
【手続補正２８】
【補正対象書類名】明細書
【補正対象項目名】００７０
【補正方法】変更
【補正の内容】
【００７０】
また、本発明に係る情報再生方法は、異なる方向を向いた複数のエッジを持つデータマークを一単位として設け、直線偏光を持つ近視野光の偏光方向を回転させつつ、当該近視野光を前記複数のデータマークの前記一単位に照射すると共に、各データマークで散乱した散乱光を出力信号とし、この出力信号の強度および出力信号が強くなった回転角度から多値データを取得して、情報を再生するようにしたものである。
【手続補正２９】
【補正対象書類名】明細書
【補正対象項目名】００７４
【補正方法】変更
【補正の内容】
【００７４】
また、本発明に係る情報記録方法は、局所的な加熱により状態が変化する物質を表面に設けた媒体に対して走査方向に偏光した第１の近視野光を照射し、前記走査方向に直交する方向の状態を変化させることで第１データを記録し、同じく、前記走査方向に直交する方向に偏光した第２の近視野光を媒体上に照射し、前記走査方向の状態を変化させることで第２データを記録し、多値データにより情報を記録するようにしたものである。
【手続補正３０】
【補正対象書類名】明細書
【補正対象項目名】００７６
【補正方法】変更
【補正の内容】
【００７６】
また、本発明に係る情報記録方法は、局所的な加熱により状態が変化する物質を表面に設けた媒体に対して走査方向または前記走査方向に直交する方向に偏光した第１の近視野光を媒体上に照射し、前記走査方向に直交する方向または前記走査方向の状態を変化させることで第１データを記録し、続いて、近視野光の偏光方向を回転させ、走査方向に直交する方向または走査方向に偏光した第２の近視野光を媒体上に照射し、前記走査方向または前記走査方向に直交する方向の状態を変化させることで第２データを記録し、多値データにより情報を記録するようにしたものである。